(57)【要約】  【課題】  蓄積性蛍光体シートに消去光を掃引照射して当該シートに蓄積した放射線エネルギーを放出させる放射線画像消去装置において、シート幅の異なる複数種類の蓄積性蛍光体シートに対応しつつ、簡便で消去光の利用効率のよい消去を可能にする。  【解決手段】  蓄積性蛍光体シートの幅を表すサイズ情報Ｈを取得し、サイズ情報Ｈに基づいて、照射手段３０により照射される消去光Ｌの照射幅を、蓄積性蛍光体シートの幅に対応した幅に光学的に変更する。例えば、消去光Ｌの光路中に拡散レンズ５１を出入することにより、照射幅を切り替える。【選択図】          図２
2005258150.tif 000002
【特許請求の範囲】
【請求項１】
蓄積性蛍光体シートに対して、該蓄積性蛍光体シートの幅方向に所定の照射幅を有する消去光を、前記幅方向と直交する方向に相対的に掃引照射して、該蓄積性蛍光体シートに蓄積された放射線エネルギーを放出させる放射線画像消去装置において、
前記蓄積性蛍光体シートの幅を表す幅情報を取得する幅情報取得手段と、
前記消去光の前記照射幅を変更する光学系と、
前記幅情報取得手段により取得された幅情報に基づいて、前記照射幅が前記蓄積性蛍光体シートの幅に対応する幅に変更されるように、前記光学系を制御する制御手段とを備えたことを特徴とする放射線画像消去装置。
【請求項２】
前記光学系が、光を集光または拡散する光学部材を含むものであり、
前記制御手段が、前記幅情報に基づいて、前記光学部材を前記消去光の光路中に出入させるものであることを特徴とする請求項１記載の放射線画像消去装置。
【請求項３】
前記光学系が、前記消去光の光路中に配され、前記消去光を集光または拡散する１以上の光学素子からなるものであり、
前記制御手段が、前記幅情報に基づいて、前記光学素子の位置を変更するものであることを特徴とする請求項１記載の放射線画像消去装置。
【発明の詳細な説明】
【技術分野】
【０００１】
本発明は放射線画像消去装置に関し、詳しくは、蓄積性蛍光体シートに消去光を照射して蓄積されている放射線エネルギーを放出させる放射線画像消去装置に関するものである。
【背景技術】
【０００２】
従来、放射線（Ｘ線、α線、β線、γ線、電子線、紫外線等）を照射するとこの放射線エネルギーの一部が蓄積され、その後可視光等の励起光を照射すると蓄積されたエネルギーに応じた光量の輝尽発光光を放射する蓄積性蛍光体（輝尽性蛍光体）を利用して、人体等の被写体の放射線画像を一旦シート状の蓄積性蛍光体を備えた蓄積性蛍光体シート（以下単にシートともいう）に撮影記録し、この蓄積性蛍光体シートをレーザ光等の励起光で走査して輝尽発光光を発生させ、得られた輝尽発光光をフォトマルチプライヤ等の読取手段により光電的に読み取って画像信号を得、この画像信号に基づいて被写体の放射線画像を写真感光材料等の記録材料、ＣＲＴ等に可視像として出力させる放射線記録再生システムが提案されている（特許文献１〜５等）。
【０００３】
上記の蓄積性蛍光体シートに画像情報として一旦蓄積記録された放射線エネルギーは画像情報が読み取られた後にも残存するが、蛍光灯等から発せられた消去光が照射されることによってシートの外部に放出されるため、シートは繰り返し使用することができる。すなわち、シートを繰り返し使用するためには、この消去光をシートに照射する消去工程を、画像情報読取工程に引き続いて行う必要があり、上記消去作用をなす放射線画像消去装置は放射線画像読取装置の一部として組み込まれて構成される場合も多い。また、さらに、本出願人により蓄積性蛍光体シートを循環通路に沿って搬送させる循環搬送手段、この循環通路上にあって蓄積性蛍光体シートに被写体の放射線画像が記録される画像記録部、循環通路上にあってこの記録された放射線画像を読み取る画像読取部、循環通路上にあって放射線画像を読取り後の蓄積性蛍光体シートに残存する放射線エネルギーを放出させる消去部（上述の放射線画像消去装置）からなるいわゆるビルトインタイプの放射線画像記録読取装置が提案されており（特許文献６〜８等）、蓄積性蛍光体シートを装置内で循環させて利用することにより効率的運用を実現している。
【０００４】
上述のような放射線画像消去装置としては、種々の提案がなされており、例えば、蓄積性蛍光体シートを、消去用光源を有しかつシートより短尺な機構に導入し、シートへの消去光の照射と、シートの間欠搬送とを順次行うことにより、シートに残存する放射線画像を消去する、すなわち、シートの全面から放射線エネルギーを放出させる放射線画像消去装置が本願出願人により提案されている（特許文献９参照）。
【０００５】
この放射線画像消去装置によれば、蓄積性蛍光体シートを搬送しながら消去光を照射して画像情報を消去する従来の方法と比して、消去機構へのシートの導入時と導出時において消去機構内にシートが殆ど存在しない状態で消去光が無駄に照射されることがなく、また、シートのサイズに大小があったとしても特にそのサイズに拘りなく消去が可能なため、消去に費やす時間の短縮化と消去機構の小型化を可能とする。
【特許文献１】特開昭５５−１２４２９号公報
【特許文献２】特開昭５６−１１３９５号公報
【特許文献３】特開昭５５−１６３４７２号公報
【特許文献４】特開昭５６−１６４６４５号公報
【特許文献５】特開昭５５−１１６３４０号公報
【特許文献６】特開昭５８−２００２６９号公報
【特許文献７】特開昭５９−１９２２４０号公報
【特許文献８】特開平３−２３８４４１号公報
【特許文献９】特公平８−２０６８７号公報
【発明の開示】
【発明が解決しようとする課題】
【０００６】
しかしながら、上記のような、シートへの消去光の照射とシートの間欠搬送とを順次行う放射線画像消去装置において、シートの異なるサイズ（シート幅）に対応するためには、消去光の照射幅を想定される最大のサイズに対応する幅に設定する方法や、シート幅より短い照射幅で消去光を照射する消去光源を間欠移動させて、消去光をシート全面に照射する方法等が考えられるが、前者の方法では、照射幅より短い幅のシートを消去する場合、シートが存在しない領域にも消去光が照射されるため、消去光の利用効率が悪く、また、後者の方法では、消去光源やシートを多数回に渡り間欠移動させる必要があるため、構造が複雑になったり、消去時間が長くなったりするという問題がある。
【０００７】
本発明は、上記事情に鑑み、シート幅の異なる複数種類の蓄積性蛍光体シートに対応でき、かつ、簡便で消去光の利用効率がよい放射線画像消去装置を提供することを目的とするものである。
【課題を解決するための手段】
【０００８】
本発明の放射線画像消去装置は、蓄積性蛍光体シートに対して、該蓄積性蛍光体シートの幅方向に所定の照射幅を有する消去光を、前記幅方向と直交する方向に相対的に掃引照射して、該蓄積性蛍光体シートに蓄積された放射線エネルギーを放出させる放射線画像消去装置において、前記蓄積性蛍光体シートの幅を表す幅情報を取得する幅情報取得手段と、前記消去光の前記照射幅を変更する光学系と、前記幅情報取得手段により取得された幅情報に基づいて、前記照射幅が前記蓄積性蛍光体シートの幅に対応する幅に変更されるように、前記光学系を制御する制御手段とを備えたことを特徴とするものである。
【０００９】
ここで、「掃引照射」とは、シートに対して相対的に消去光を掃引して照射することを意味し、例えば、消去光源を固定してシートを搬送するようにしてもよいし、逆に、シートを停止させ消去光源を移動させるようにしてもよく、あるいは、消去光源とシートの両方を移動させるようにしてもよい。
【００１０】
「消去光源」としては、例えば、蓄積性蛍光体シートに蓄積された放射線エネルギーを放出させるのに必要な波長の光を発する蛍光灯等を用いることができる。
【００１１】
「幅情報取得手段」としては、シートの幅をセンサ等で検出して、その幅に対応する信号を幅情報として取得する手段や、マニュアル操作により幅情報を入力する手段等を考えることができる。
【００１２】
「蓄積性蛍光体シートの幅に対応する幅」とは、その蓄積性蛍光体シートを漏れなく照射するのに必要十分な幅であり、例えば、蓄積性蛍光体シートの幅の１００〜１１０％の幅とすることができる。この幅をあまり広げ過ぎると蓄積性蛍光体シートに照射されない無駄な消去光が増大するので好ましくない。
【００１３】
本発明の放射線画像消去装置において、前記光学系は、光を集光または拡散する光学部材を含むものであり、前記制御手段は、前記幅情報に基づいて、前記光学部材を前記消去光の光路中に出入させるものであってもよい。
【００１４】
この場合、「光学部材」としては、例えば、レンズや湾曲した反射面を有するミラー等を考えることができる。
【００１５】
「レンズ」は、一般的なガラス製やプラスチック製の集光レンズ、拡散レンズであってもよい。さらに、「集光レンズ」や「拡散レンズ」はフレネルレンズであってもよい。
【００１６】
本発明の放射線画像消去装置において、前記光学系は、前記消去光の光路中に配され、前記消去光を集光または拡散する１以上の光学素子からなるものであり、前記制御手段は、前記幅情報に基づいて、前記光学素子の位置を変更するものであってもよい。
【００１７】
ここで、「１以上の光学素子からなるもの」としては、例えば、拡散レンズと集光レンズとの組合せからなる複合レンズや、方向によって平行平板や集光レンズまたは拡散レンズとして機能するような形状を有する光学素子を考えることができる。
【００１８】
「１以上の光学素子からなるもの」が上記複合レンズである場合、制御手段は、凹レンズと凸レンズとの面間隔を変更するものとすることができ、また、「１以上の光学素子からなるもの」が上記平行平板や集光レンズ等の機能を有する光学素子である場合、制御手段は、当該光学素子の回転位置や姿勢を変更するものとすることができる。
【発明の効果】
【００１９】
本発明の放射線画像消去装置によれば、蓄積性蛍光体シートの幅を表す幅情報に基づいて、蓄積性蛍光体シートに照射する消去光の照射幅を、蓄積性蛍光体シートの幅に対応した幅に光学的に変更し、消去光を蓄積性蛍光体シートに掃引照射するので、消去光源の多数回に渡る間欠移動も必要なく、また、蓄積性蛍光体シートに照射されない無駄な消去光を低減することができ、シート幅の異なる複数種類の蓄積性蛍光体シートに対応しつつ、簡便で消去光の利用効率がよい、蓄積性蛍光体シートの放射線エネルギーの放出を行うことができる。
【００２０】
また、消去光の消費エネルギーが同じ場合には、従来の放射線画像消去装置と比して、消去光の利用効率がよい分、消去に費やす時間の短縮化も期待できる。
【発明を実施するための最良の形態】
【００２１】
以下、本発明の放射線画像消去装置の実施の形態について説明する。
【００２２】
図１は、本発明の第１の実施形態による放射線画像消去装置の構成を示す概略ブロック図であり、図２は、図１に示す放射線画像消去装置の要部を示す図である。
【００２３】
図１に示す放射線画像消去装置は、幅の異なる大・小２種類のサイズの蓄積性蛍光体シートのうちいずれか一方を搬送ベルト２１に載置して搬送する搬送手段２０と、消去光Ｌを発する蛍光灯３１を有し、消去光Ｌを、搬送手段２０により搬送される蓄積性蛍光体シートに対して、小サイズの蓄積性蛍光体シート１１ｓの幅Ｗｓに対応する、当該幅Ｗｓよりわずかに大きい幅Ｗｓ′で照射する照射手段３０と、搬送手段２０により搬送される蓄積性蛍光体シートのサイズを不図示のセンサで検出し、そのサイズを表すサイズ情報を取得するサイズ情報取得手段（幅情報取得手段）４０と、消去光Ｌの光路中の所定の位置に配されたときに、消去光Ｌを拡散して照射幅を大サイズの蓄積性蛍光体シート１１ｂの幅Ｗｂに対応する、当該幅Ｗｂよりわずかに大きい幅Ｗｂ′に変更する拡散レンズ５１（光学系）と、搬送手段２０によるシートの搬送のＯＮ／ＯＦＦや照射手段３０による消去光Ｌの照射のＯＮ／ＯＦＦ等を制御するとともに、サイズ情報取得手段４０により取得されたサイズ情報Ｈに基づいて、上記照射幅が、搬送されるシートの幅に対応する幅に変更されるように、拡散レンズ５１の位置を制御する制御部（制御手段）６０とを備えている。
【００２４】
次に、本実施形態の作用について説明する。
【００２５】
図２（１）は、小サイズの蓄積性蛍光体シート１１ｓを消去する場合における要部の斜視図、図２（２）は、大サイズの蓄積性蛍光体シート１１ｂを消去する場合における要部の斜視図である。
【００２６】
まず、サイズ情報取得手段４０が、所定の場所に設けられた不図示のセンサを用いて、搬送ベルト２１に載置されている蓄積性蛍光体シートのサイズを検出し、そのサイズ情報Ｈを得る。
【００２７】
制御部６０は、サイズ情報取得手段４０により取得されたサイズ情報Ｈに基づいて、搬送ベルト２１上に載置された蓄積性蛍光体シートのサイズが「大」であるか「小」であるかを判定し、サイズが「小」であるときには、図２（１）に示すように、拡散レンズ５１を不図示の駆動部により消去光Ｌの光路外の位置に移動させて、消去光Ｌが小サイズの蓄積性蛍光体シート１１ｓの幅Ｗｓに対応する幅Ｗｓ′で照射されるように設定し、サイズが「大」であるときには、図２（２）に示すように、拡散レンズ５１を不図示の駆動部により消去光Ｌの光路中の上記所定の位置に移動させて、消去光Ｌが大サイズの蓄積性蛍光体シート１１ｂの幅Ｗｂに対応する幅Ｗｂ′で照射されるように設定する。
【００２８】
制御部６０は、拡散レンズ５１の移動が完了すると、搬送手段２０を制御して、搬送ベルト２１上に載置された蓄積性蛍光体シートを搬送するとともに、照射手段３０を制御して、搬送される蓄積性蛍光体シートに対してそのシートの幅に対応した照射幅を有する消去光Ｌを照射し、蓄積性蛍光体シートに蓄積された放射線エネルギーを放出させる。
【００２９】
このように、本発明の第１の実施形態による放射線画像消去装置によれば、取得したサイズ情報Ｈに基づいて、蓄積性蛍光体シートに照射する消去光Ｌの照射幅を、蓄積性蛍光体シートの幅に対応した幅に光学的に変更し、消去光を蓄積性蛍光体シートに掃引照射するので、消去光源の多数回に渡る間欠移動も必要なく、また、蓄積性蛍光体シートに照射されない無駄な消去光を低減することができ、シート幅の異なる複数種類の蓄積性蛍光体シートに対応しつつ簡便で消去光の利用効率がよい、蓄積性蛍光体シートの放射線エネルギーの放出を行うことができる。
【００３０】
また、消去光の消費エネルギーが同じ場合には、従来の放射線画像消去装置と比して、消去光の利用効率がよい分、消去に費やす時間の短縮化も期待できる。
【００３１】
なお、上記第１の実施形態においては、照射手段３０は小サイズの蓄積性蛍光体シートに対応した幅Ｗｓ′で照射するものであり、消去光Ｌを拡散して消去光Ｌの照射幅を大サイズの蓄積性蛍光体シートに対応した幅Ｗｂ′に変更する拡散レンズ５１を用いて、消去光Ｌの照射幅を変更しているが、この他に、例えば、図３に示すように、照射手段３０を大サイズの蓄積性蛍光体シートに対応した幅Ｗｂ′で照射するものとし、消去光Ｌを集光して消去光Ｌの照射幅を小サイズの蓄積性蛍光体シートに対応した幅Ｗｓ′に変更する集光レンズ５２を用いて、消去光Ｌの照射幅を変更するようにしてもよい。上記拡散レンズ５１、集光レンズ５２は、図４に示すような、フレネルレンズ５１ｆ，５２ｆとしてもよい。フレネルレンズは、通常のレンズに比べ薄型なので、放射線画像消去装置の小型化が可能となる。
【００３２】
また、図５に示すように、照射手段３０を蛍光灯３１から発する消去光Ｌをミラー３２で一旦反射させた後に幅Ｗｂ′で照射するものとし、消去光Ｌを反射しつつ集光して消去光Ｌの照射幅を幅Ｗｓ′に変更する反射面が湾曲した湾曲ミラー５３を用いて、消去光Ｌの照射幅を変更するようにしてもよい。もちろん、このようなミラーを用いる場合にも、上述のようなレンズを用いる場合と同様に、消去光Ｌの照射幅の変更方向を逆にすることもでき、照射手段３０を蛍光灯３１から発する消去光Ｌをミラー３２で一旦反射させた後に幅Ｗｓ′で照射するものとし、消去光Ｌを反射しつつ拡散して消去光Ｌの照射幅を幅Ｗｂ′に変更する反射面が湾曲した湾曲ミラーを用いて、消去光Ｌの照射幅を変更するようにしてもよい。
【００３３】
また、集光や拡散の程度が異なる複数のレンズまたは複数のミラーを用意し、蓄積性蛍光体シートの幅に応じて、適当なレンズまたはミラーを消去光Ｌの光路中に出入して、消去光Ｌの照射幅を変更するようにしてもよい。
【００３４】
図６は、本発明の第２の実施形態による放射線画像消去装置の構成を示す概略ブロック図であり、図７は、図６に示す放射線画像消去装置の要部を示す図である。
【００３５】
図６に示す放射線画像消去装置は、幅の異なる大・小２種類のサイズの蓄積性蛍光体シートのうちいずれか一方を搬送ベルト２１に載置して搬送する搬送手段２０と、消去光Ｌを発する蛍光灯３１を有し、消去光Ｌを、搬送手段２０により搬送される蓄積性蛍光体シートに対して、所定の幅で照射する照射手段３０と、搬送手段２０により搬送される蓄積性蛍光体シートのサイズを不図示のセンサで検出し、そのサイズを表すサイズ情報Ｈを取得するサイズ情報取得手段（幅情報取得手段）４０と、消去光Ｌの光路中に配され、消去光Ｌを集光する集光レンズ５５ａおよび当該集光レンズ５５ａにより集光された消去光Ｌを拡散する拡散レンズ５５ｂからなる複合レンズであって、集光レンズ５５ａと拡散レンズ５５ｂとの面間隔Ｄを所定の間隔Ｄｓにすると、消去光Ｌの照射幅が、小サイズの蓄積性蛍光体シート１１ｓの幅Ｗｓに対応する、当該幅Ｗｓよりわずかに大きい幅Ｗｓ′になり、面間隔Ｄを他の所定の間隔Ｄｂにすると、消去光Ｌの照射幅が、大サイズの蓄積性蛍光体シート１１ｂの幅Ｗｂに対応する、当該幅Ｗｂよりわずかに大きい幅Ｗｂ′になる複合レンズ（光学系）５５と、搬送手段２０によるシートの搬送のＯＮ／ＯＦＦや照射手段３０による消去光Ｌの照射のＯＮ／ＯＦＦ等を制御するとともに、サイズ情報取得手段４０により取得されたサイズ情報Ｈに基づいて、上記照射幅が、搬送されるシートの幅に対応する幅に変更されるように、面間隔Ｄを制御する制御部（制御手段）６０とを備えている。
【００３６】
次に、本実施形態の作用について説明する。
【００３７】
図７（１）は、大サイズの蓄積性蛍光体シート１１ｂを消去する場合における要部をシートの搬送方向から見た図、図７（２）は、小サイズの蓄積性蛍光体シート１１ｓを消去する場合における要部をシートの搬送方向から見た図である。
【００３８】
第１の実施形態と同様にして、サイズ情報取得手段４０がサイズ情報Ｈを得、制御部６０が搬送ベルト２１上に載置された蓄積性蛍光体シートのサイズが「大」であるか「小」であるかを判定する。
【００３９】
制御部６０は、サイズが「小」であるときには、図７（１）に示すように、集光レンズ５５ａと拡散レンズ５５ｂとの面間隔Ｄを所定の間隔Ｄｓにすべく、拡散レンズ５５ｂを不図示の駆動部により移動させて、消去光Ｌが小サイズの蓄積性蛍光体シート１１ｓの幅Ｗｓに対応する幅Ｗｓ′で照射されるように設定し、サイズが「大」であるときには、図７（２）に示すように、面間隔Ｄを所定の間隔Ｄｂにすべく、拡散レンズ５５ｂを不図示の駆動部により移動させて、消去光Ｌが大サイズの蓄積性蛍光体シート１１ｂの幅Ｗｂに対応する幅Ｗｂ′で照射されるように設定する。
【００４０】
これより後の動作については、第１の実施形態と同様なので説明を省略する。
【００４１】
このように、第２の実施形態による放射線画像消去装置によれば、集光レンズと拡散レンズの面間隔を変更することで集光または拡散の程度を変更し、消去光の照射幅を変更することができるので、光学系そのものを消去光Ｌの光路中から外に移動させる必要がなく、より簡便に上記照射幅の変更を行うことができる。また、このような複合レンズでは、集光または拡散の程度を連続的に変更できるので、集光レンズと拡散レンズとの面間隔を連続的に変更できるような機構を設けることで、消去光Ｌの照射幅を連続的に変更でき、任意の幅の蓄積性蛍光体シートに対応することができるという利点もある。
【００４２】
図８は、本発明の第３の実施形態による放射線画像消去装置の構成を示す概略ブロック図であり、図９は、図８に示す放射線画像消去装置の要部を示す図である。
【００４３】
図８に示す放射線画像消去装置は、幅の異なる大・小２種類のサイズの蓄積性蛍光体シートのうちいずれか一方を搬送ベルト２１に載置して搬送する搬送手段２０と、消去光Ｌを発する蛍光灯３１を有し、消去光Ｌを、搬送手段２０により搬送される蓄積性蛍光体シートに対して、小サイズの蓄積性蛍光体シート１１ｓの幅Ｗｓに対応する、当該幅Ｗｓよりわずかに大きい幅Ｗｓ′で照射する照射手段３０と、搬送手段２０により搬送される蓄積性蛍光体シートのサイズを不図示のセンサで検出し、そのサイズを表すサイズ情報Ｈを取得するサイズ情報取得手段（幅情報取得手段）４０と、消去光Ｌの光路中に回転可能に支持された光学素子であって、回転位置Ｒを所定の回転位置Ｒｓにすると、消去光Ｌに対して消去光Ｌがそのまま透過する平行平板となり、消去光Ｌの照射幅が、小サイズの蓄積性蛍光体シート１１ｓの幅Ｗｓに対応する、当該幅Ｗｓよりわずかに大きい幅Ｗｓ′になり、回転位置Ｒを他の所定の回転位置Ｒｂにすると、消去光Ｌに対して消去光Ｌが拡散する拡散レンズとなり、消去光Ｌの照射幅が、大サイズの蓄積性蛍光体シート１１ｂの幅Ｗｂに対応する、当該幅Ｗｂよりわずかに大きい幅Ｗｂ′になる回転式光学素子（光学系）５６と、搬送手段２０によるシートの搬送のＯＮ／ＯＦＦや照射手段３０による消去光Ｌの照射のＯＮ／ＯＦＦ等を制御するとともに、サイズ情報取得手段４０により取得されたサイズ情報Ｈに基づいて、上記照射幅が、搬送されるシートの幅に対応する幅に変更されるように、回転式光学素子５６の回転位置Ｒを制御する制御部（制御手段）６０とを備えている。
【００４４】
次に、本実施形態の作用について説明する。
【００４５】
図９（１）は、小サイズの蓄積性蛍光体シート１１ｓを消去する場合における要部の斜視図、図９（２）は、大サイズの蓄積性蛍光体シート１１ｂを消去する場合における要部の斜視図である。
【００４６】
第１の実施形態と同様にして、サイズ情報取得手段４０がサイズ情報Ｈを得、制御部６０が搬送ベルト２１上に載置された蓄積性蛍光体シートのサイズが大か小かを判定する。
【００４７】
制御部６０は、サイズが小であるときには、図９（１）に示すように、回転式光学素子５６の回転位置Ｒを回転位置Ｒｓにすべく、回転式光学素子５６を回転させて、消去光Ｌが小サイズの蓄積性蛍光体シート１１ｓの幅Ｗｓに対応する幅Ｗｓ′で照射されるように設定し、サイズが大であるときには、図９（２）に示すように、回転式光学素子５６の回転位置Ｒを回転位置Ｒｂにすべく、回転式光学素子５６を回転させて、消去光Ｌが大サイズの蓄積性蛍光体シート１１ｂの幅Ｗｂに対応する幅Ｗｂ′で照射されるように設定する。
【００４８】
これより後の動作については、第１の実施形態と同様なので説明を省略する。
【００４９】
このように、第３の実施形態による放射線画像消去装置によれば、光学系に、回転位置によって消去光Ｌに対して平行平板となったり拡散レンズとなったりする回転式光学素子を用いているので、回転式光学素子の回転という単純で他の場所への移動を伴わない動作により、消去光Ｌの照射幅を変更することができ、放射線画像消去装置の機構の単純化、より一層の小型化が可能となる。
【００５０】
なお、上記第３の実施形態においては、照射手段３０を小サイズの蓄積性蛍光体シート１１ｓに対応した幅Ｗｓ′で照射するものとし、回転位置によって消去光Ｌに対して平行平板となったり拡散レンズとなったりする回転式光学素子５６を用いて、消去光Ｌの照射幅を幅Ｗｓ′とＷｂ′とに変更しているが、この他に、例えば、照射手段３０を大サイズの蓄積性蛍光体シート１１ｂに対応した幅Ｗｂ′で照射するものとし、回転位置によって消去光Ｌに対して平行平板となったり集光レンズとなったりする回転式光学素子を用いて、消去光Ｌの照射幅をＷｂ′とＷｓ′とに変更するようにしてもよい。
【００５１】
また、照射手段３０を所定の幅で照射するものとし、回転位置によって消去光Ｌに対して平行平板、拡散や集光の程度の異なる複数のレンズとして機能するような形状を有する回転式光学素子を用いて、多種の幅の蓄積性蛍光体シートに対応できるようにしてもよい。
【図面の簡単な説明】
【００５２】
【図１】本発明の第１の実施形態（拡散レンズを用いた実施形態）による放射線画像消去装置の構成を示した図
【図２】本発明の第１の実施形態による放射線画像消去装置の要部を示した図
【図３】光学系に集光レンズを適用した場合の放射線画像消去装置の要部を示した図
【図４】光学系にフレネルレンズを適用した場合の放射線画像消去装置の要部を示した図
【図５】光学系に湾曲ミラーを適用した場合の放射線画像消去装置の要部を示した図
【図６】本発明の第２の実施形態（複合レンズを用いた実施形態）による放射線画像消去装置の構成を示した図
【図７】本発明の第２の実施形態による放射線画像消去装置の要部を示した図
【図８】本発明の第３の実施形態（回転式の光学素子を用いた実施形態）による放射線画像消去装置の構成を示した図
【図９】本発明の第３の実施形態による放射線画像消去装置の要部を示した図
【符号の説明】
【００５３】
１１ｓ  小サイズの蓄積性蛍光体シート
１１ｂ  大サイズの蓄積性蛍光体シート
２０    搬送手段
２１    搬送ベルト
３０    照射手段
３１    蛍光灯
４０    サイズ情報取得手段
５１    拡散レンズ
５１ｆ  拡散フレネルレンズ
５２    集光レンズ
５２ｆ  集光フレネルレンズ
５３    湾曲ミラー
５５    複合レンズ
５５ａ  集光レンズ
５５ｂ  拡散レンズ
５６    回転式光学素子
６０    制御部
【図１】
2005258150.tif 000003
【図２】
2005258150.tif 000004
【図３】
2005258150.tif 000005
【図４】
2005258150.tif 000006
【図５】
2005258150.tif 000007
【図６】
2005258150.tif 000008
【図７】
2005258150.tif 000009
【図８】
2005258150.tif 000010
【図９】
2005258150.tif 000011